(57)【特許請求の範囲】
【請求項１】
長手方向と短手方向を有する把持部の一端から、前記把持部の長手方向と直交する方向に先端工具支持部を延伸させるようにして、前記把持部及び前記先端工具支持部を一体成形することにより、Ｌ字状に形成された本体と、
前記把持部のうち前記先端工具支持部が延伸する側と反対側にコ字状に形成されたハンドルと、
前記先端工具支持部の延伸方向の先端に平面状に形成された先端工具装着側端部から突出するようにして、直方体状に形成された凸部であって、その長手方向が、前記先端工具支持部の延伸方向と直交する方向であって、かつ前記把持部の長手方向と直交する方向に沿うようにして形成されると共に、その長手方向における長さが、前記先端工具装着側端部の幅と同一の長さを有するように形成された前記凸部と、
前記凸部の中央付近を貫通する貫通孔に挿通するようにして、前記先端工具支持部の延伸方向に沿って設けられると共に、先端に刃が形成された回転軸と
を備えるハンマードリルの巻込防止治具において、
前記回転軸の外径より大きい内径を有する上側円筒部の下端と、前記上側円筒部の内径より大きい内径を有し、かつ長手方向の長さが前記上側円筒部より短くなるように形成された下側円筒部であって、その外径が前記凸部の長手方向における長さと同一の長さを有するように形成されると共に、前記先端工具支持部の前記先端工具装着側端部の内側に収まるように形成された前記下側円筒部の上端とを接続するようにして一体成形することにより、断面が凸型形状になるように形成された円筒部であって、前記円筒部の長手方向における長さは、前記回転軸のうち露出している部分の長手方向における長さと、前記凸部の突出方向における長さとの合計より短くなるように形成された前記円筒部と、
前記下側円筒部のうち上側円筒部非接続側端部に設けられ、前記凸部の形状に対応し前記凸部と嵌合するための第１及び第２の切欠であって、前記下側円筒部によって形成される円の中心を通る線上に、対向するように形成された前記第１及び第２の切欠と、
前記下側円筒部のうち、前記第１及び第２の切欠の上部付近に取り付けられた、伸縮可能な環状のバンドであって、前記ハンドルに引っ掛けるための前記バンドと
を備えることを特徴とするハンマードリルの巻込防止治具。
【発明の詳細な説明】
【技術分野】
【０００１】
本発明は、ハンマードリルの巻込防止治具に関する。
【背景技術】
【０００２】
従来、コンクリートなどに穴を開けるための装置として、種々のハンマードリルが開発及び提案されている（例えば、特許文献１参照）。
【先行技術文献】
【特許文献】
【０００３】
【特許文献１】特開２０１２−１４３８６９号公報
【発明の概要】
【発明が解決しようとする課題】
【０００４】
本発明は、天井への穴開け作業を安全に行うことができるハンマードリルの巻込防止治具を提供することを目的とする。
【課題を解決するための手段】
【０００５】
本発明の一態様によるハンマードリルの巻込防止治具は、
長手方向と短手方向を有する把持部の一端から、前記把持部の長手方向と直交する方向に先端工具支持部を延伸させるようにして、前記把持部及び前記先端工具支持部を一体成形することにより、Ｌ字状に形成された本体と、
前記把持部のうち前記先端工具支持部が延伸する側と反対側にコ字状に形成されたハンドルと、
前記先端工具支持部の延伸方向の先端に平面状に形成された先端工具装着側端部から突出するようにして、直方体状に形成された凸部であって、その長手方向が、前記先端工具支持部の延伸方向と直交する方向であって、かつ前記把持部の長手方向と直交する方向に沿うようにして形成されると共に、その長手方向における長さが、前記先端工具装着側端部の幅と同一の長さを有するように形成された前記凸部と、
前記凸部の中央付近を貫通する貫通孔に挿通するようにして、前記先端工具支持部の延伸方向に沿って設けられると共に、先端に刃が形成された回転軸と
を備えるハンマードリルの巻込防止治具において、
前記回転軸の外径より大きい内径を有する上側円筒部の下端と、前記上側円筒部の内径より大きい内径を有し、かつ長手方向の長さが前記上側円筒部より短くなるように形成された下側円筒部であって、その外径が前記凸部の長手方向における長さと同一の長さを有するように形成されると共に、前記先端工具支持部の前記先端工具装着側端部の内側に収まるように形成された前記下側円筒部の上端とを接続するようにして一体成形することにより、断面が凸型形状になるように形成された円筒部であって、前記円筒部の長手方向における長さは、前記回転軸のうち露出している部分の長手方向における長さと、前記凸部の突出方向における長さとの合計より短くなるように形成された前記円筒部と、
前記下側円筒部のうち上側円筒部非接続側端部に設けられ、前記凸部の形状に対応し前記凸部と嵌合するための第１及び第２の切欠であって、前記下側円筒部によって形成される円の中心を通る線上に、対向するように形成された前記第１及び第２の切欠と、
前記下側円筒部のうち、前記第１及び第２の切欠の上部付近に取り付けられた、伸縮可能な環状のバンドであって、前記ハンドルに引っ掛けるための前記バンドと
を備える。
【発明の効果】
【０００６】
本発明のハンマードリルの巻込防止治具によれば、天井への穴開け作業を安全に行うことができる。
【図面の簡単な説明】
【０００７】
【図１】本発明の実施の形態によるハンマードリルの巻込防止治具の構成を示す斜視図である。
【図２】本発明の実施の形態によるハンマードリルの巻込防止治具の使用方法を示す斜視図である。
【発明を実施するための形態】
【０００８】
以下、本発明の実施の形態について図面を参照して説明する。
【０００９】
図１（ａ）は、本発明の実施の形態によるハンマードリル１０及び当該ハンマードリル１０の巻込防止治具１００の構成を示し、図１（ｂ）は、巻込防止治具１００の切欠１３０Ａ及び１３０Ｂ付近の構成を示す。図２（ａ）は、ハンマードリル１０に巻込防止治具１００を装着する場合の様子を示し、図２（ｂ）は、巻込防止治具１００を装着したハンマードリル１０を用いて、天井へ穴開け作業を行う場合の様子を示す。
【００１０】
図１（ａ）に示すように、ハンマードリル１０の本体２０は、Ｌ字状に形成され、その内部には図示しないモータを有する。より具体的には、本体２０は、先端工具を支持するための先端工具支持部２０Ａと、使用者が把持するための把持部２０Ｂとを有し、これら先端工具支持部２０Ａ及び把持部２０Ｂは、いずれも、長手方向と短手方向を有する形状からなる。
【００１１】
本実施の形態の場合、把持部２０Ｂのうち、先端工具支持部２０Ａが延伸する側と反対側には、コ字状のハンドル３０が取り付けられている。
【００１２】
先端工具支持部２０Ａのうち、先端工具を装着する側の端部、すなわち先端工具装着側端部４０は、平面状に形成され、この先端工具装着側端部４０上には、直方体状の凸部５０が、先端工具装着側端部４０から突出するようにして凸型形状を有するように形成されている。
【００１３】
この凸部５０は、その長手方向が、先端工具支持部２０Ａの長手方向（図中Ｚ方向）と直交する方向であって、かつ把持部２０Ｂの長手方向（図中Ｘ方向）と直交する方向（図中Ｙ方向）に沿って、設置されている。なお、凸部５０は、その長手方向における長さが、先端工具装着側端部４０の幅と同一の長さを有するように形成されている。
【００１４】
凸部５０の中央付近には、図示しない貫通孔が、先端工具支持部２０Ａの長手方向（図中Ｚ方向）に、当該凸部５０を貫通するように設けられている。シャンクと呼ばれる棒状の細長い回転軸６０は、この貫通孔（図示せず）に挿通するようにして、先端工具支持部２０Ａの長手方向（図中Ｚ方向）に設けられ、本体２０内部のモータ（図示せず）によって回転するようになされている。
【００１５】
この回転軸６０の先端には、図示しない刃が螺旋状に形成され、例えば天井を叩きながら回転軸６０を回転させることにより、当該回転軸６０の先端に形成された刃（図示せず）を回転させ、天井への穴開け作業を行う。このように回転軸６０は、先端工具として機能する。
【００１６】
図１（ａ）及び（ｂ）に示すように、ハンマードリル１０の巻込防止治具１００は、回転軸６０の外径より大きい内径を有する上側円筒部１１０と、当該上側円筒部１１０の内径より大きい内径を有し、かつ長手方向の長さが上側円筒部１１０より短くなるように形成された下側円筒部１２０とを接続及び固着することにより構成されている。
【００１７】
下側円筒部１２０は、その外径がハンマードリル１０の凸部５０の長手方向における長さと同一の長さを有するように形成されると共に、先端工具支持部２０Ａの先端工具装着側端部４０の内側に収まるように形成されている。
【００１８】
上側及び下側円筒部１１０及び１２０の長手方向における長さの合計は、ハンマードリル１０の回転軸６０のうち、露出している部分の長手方向における長さと、凸部５０の突出方向（図中Ｚ方向）における長さとの合計より短くなるように形成されている。
【００１９】
下側円筒部１２０のうち上側円筒部１１０非接続側端部には、ハンマードリル１０の凸部５０の形状に対応し当該凸部５０と嵌合するための切欠１３０Ａ及び１３０Ｂが、下側円筒部１２０によって形成される円の中心を通る線上に、対向するように形成されている。
【００２０】
また、下側円筒部１２０のうち、切欠１３０Ａ及び１３０Ｂの上部付近には、例えばゴム材からなり、伸縮可能な環状のバンド１４０が取り付けられている。
【００２１】
図２（ａ）に示すように、ハンマードリル１０の回転軸６０を、巻込防止治具１００の下側円筒部１２０及び上側円筒部１１０内に順次挿入することにより、ハンマードリル１０の凸部５０と巻込防止治具１００の切欠１３０Ａ及び１３０Ｂとを嵌合させ、ハンマードリル１０と巻込防止治具１００を装着する。
【００２２】
さらに、巻込防止治具１００のバンド１４０を、ハンマードリル１０のハンドル３０に引っ掛けることにより、巻込防止治具１００が凸部５０の長手方向に移動することを規制し、巻込防止治具１００をハンマードリル１０に固定する。この場合、回転軸６０の先端部分は、露出している。
【００２３】
図２（ｂ）に示すように、使用者は、例えばハンマードリル１０のハンドル３０や巻込防止治具１００の下側円筒部１２０を把持した状態で、ハンマードリル１０の回転軸６０を回転させながら、当該回転軸６０の先端を天井に当接させることにより、天井へ穴開け作業を行う。
【００２４】
すなわち、本実施の形態の場合、ハンマードリル１０の本体２０は、長手方向と短手方向を有する把持部２０Ｂの一端から、当該把持部２０Ｂの長手方向（図中Ｘ方向）と直交する方向（図中Ｚ方向）に先端工具支持部２０Ａを延伸させるようにして、把持部２０Ｂ及び先端工具支持部２０Ａを一体成形することにより、Ｌ字状に形成されている。
【００２５】
ハンドル３０は、把持部２０Ｂのうち先端工具支持部２０Ａが延伸する側と反対側にコ字状に形成されている。
【００２６】
凸部５０は、先端工具支持部２０Ａの延伸方向（図中Ｚ方向）の先端に平面状に形成された先端工具装着側端部４０から突出するようにして、直方体状に形成され、その長手方向が、先端工具支持部２０Ａの延伸方向（図中Ｚ方向）と直交する方向であって、かつ把持部２０Ｂの長手方向（図中Ｘ方向）と直交する方向（図中Ｙ方向）に沿うようにして形成されると共に、その長手方向における長さが、前記先端工具装着側端部４０の幅と同一の長さを有するように形成されている。
【００２７】
回転軸６０は、凸部５０の中央付近を貫通する貫通孔（図示せず）に挿通するようにして、先端工具支持部２０Ａの延伸方向（図中Ｚ方向）に沿って設けられると共に、先端に刃（図示せず）が形成されている。
【００２８】
巻込防止治具１００の円筒部１５０は、回転軸６０の外径より大きい内径を有する上側円筒部１１０の下端と、上側円筒部１１０の内径より大きい内径を有し、かつ長手方向（図中Ｚ方向）の長さが上側円筒部１１０より短くなるように形成された下側円筒部１２０であって、その外径が凸部５０の長手方向（図中Ｙ方向）における長さと同一の長さを有するように形成されると共に、先端工具支持部２０Ａの先端工具装着側端部４０の内側に収まるように形成された下側円筒部１２０の上端とを接続するようにして一体成形することにより、断面が凸型形状になるように形成された円筒部１５０であって、円筒部１５０の長手方向（図中Ｚ方向）における長さは、回転軸６０のうち露出している部分の長手方向（図中Ｚ方向）における長さと、凸部５０の突出方向（図中Ｚ方向）における長さとの合計より短くなるように形成されている。
【００２９】
第１及び第２の切欠１３０Ａ及び１３０Ｂは、下側円筒部１２０のうち上側円筒部１１０非接続側端部に設けられ、凸部５０の形状に対応し凸部５０と嵌合するためのものであって、下側円筒部１２０によって形成される円の中心を通る線上に、対向するように形成されている。
【００３０】
バンド１４０は、下側円筒部１２０のうち、第１及び第２の切欠１３０Ａ及び１３０Ｂの上部付近に取り付けられた、伸縮可能な環状のものであり、ハンドル３０に引っ掛けるようになされている。
【００３１】
このように本実施の形態によれば、ハンマードリル１０に巻込防止治具１００を装着し、ハンマードリル１０の回転軸６０を巻込防止治具１００の第１及び下側円筒部１１０及び１２０によって覆うことにより、使用者のケガを未然に防止することができ、従って天井への穴開け作業を安全に行うことができる
【符号の説明】
【００３２】
１０  ハンマードリル
２０  本体
２０Ａ  先端工具支持部
２０Ｂ  把持部
４０  先端工具装着側端部
５０  凸部
６０  回転軸
１００  巻込防止治具
１１０  上側円筒部
１２０  下側円筒部
１３０Ａ、１３０Ｂ  切欠
１４０  バンド
【要約】
【課題】  本発明は、天井への穴開け作業を安全に行うことができるハンマードリルの巻込防止治具を提供することを目的とする。
【解決手段】  先端工具支持部２０Ａ及び把持部２０Ｂを有する本体２０と、ハンドル３０と、凸部５０と、回転軸６０とを備えるハンマードリル１０の巻込防止治具１００において、上側円筒部１１０及び下側円筒部１２０を有する円筒部１５０と、第１及び第２の切欠１３０Ａ及び１３０Ｂと、バンド１４０とを備える。
【選択図】  図１【図１】
0005964532.tif 000002
【図２】
0005964532.tif 000003